(57)【要約】【課題】ナットの締付量を適切に管理することができるバッテリーターミナルを提供することを目的とする。【解決手段】バッテリーターミナル１は、Ｃ字形の上板装着部２１および下板装着部４１と、ボルト収容部６５を有する第１締結部６０と、ボルト収容部７５を有する第２締結部７０とを備えるターミナル本体１０と、第１締結部６０と第２締結部７０とに組み付けられて、上板装着部２１および下板装着部４１を縮径変形させる締付部材８０を備える。締付部材８０は、頭部８２と、頭部８２から延び、ボルト収容部６５、７５に収容される柱部８３と、柱部８３から延びる軸部８４とを備える締付ボルト８１と、軸部８４にねじ付けられるナット８５と、軸部８４を挿通可能であるが柱部８３を挿通不能なボルト挿通孔８７を有して柱部８３とナット８５との間に組み付けられるワッシャ８６とを備える。【選択図】図１
2018198156.tif 000002
【特許請求の範囲】
【請求項１】
バッテリーに備えられるバッテリーポストに取り付けられるバッテリーターミナルであって、
互いに対向して配され、前記バッテリーポストを囲む弧状の第１の装着部および第２の装着部と、
前記第１の装着部における弧の両端部のうち一方の端部と、前記第２の装着部における弧の両端部のうち一方の端部とを連結するとともに、ボルト収容部を有する第１締結部と、
前記第１の装着部における弧の両端部のうち他方の端部と、前記第２の装着部における弧の両端部のうち他方の端部とを連結するとともに、ボルト収容部を有する第２締結部とを備えるターミナル本体と、
前記第１締結部と前記第２締結部とに組み付けられて、前記第１締結部と前記第２締結部とを互いに近接する方向に押圧して前記第１の装着部および前記第２の装着部を縮径変形させる締付部材を備え、
前記締付部材が、
頭部と、前記頭部から延び、前記ボルト収容部に収容される柱状の柱部と、前記柱部から延び、前記柱部よりも細い円柱状であって外周面にねじ山を有する軸部とを備える締付ボルトと、
前記軸部にねじ付けられるナットと、
前記軸部を挿通可能であるが前記柱部を挿通不能なボルト挿通孔を有し、前記軸部を前記ボルト挿通孔に挿通させて前記柱部と前記ナットとの間に組み付けられて前記頭部との間で前記第１締結部と前記第２締結部とを挟み付ける挟付部材とを備える、バッテリーターミナル。
【請求項２】
前記柱部が複数の側面を有する多角柱状であり、
前記第１締結部および前記第２締結部が、前記柱部の前記複数の側面のうちいずれかに当接して前記柱部の回転を規制する第１の回り止め部を備えている、請求項１に記載のバッテリーターミナル。
【請求項３】
前記頭部が、複数の辺を有する多角形状の外形を有しており、
前記第１の装着部が、前記頭部の前記複数の辺のうちいずれかに当接して前記頭部の回転を規制する第２の回り止め部を備えている、請求項１または請求項２に記載のバッテリーターミナル。
【請求項４】
前記挟付部材が、複数の辺を有する多角形状の外形を有しており、
前記第２の装着部が、前記挟付部材の前記複数の辺のうちいずれかに当接して前記挟付部材の回転を規制する第３の回り止め部を備えている、請求項１〜請求項３のいずれか１項に記載のバッテリーターミナル。
【発明の詳細な説明】
【技術分野】
【０００１】
本明細書によって開示される技術は、バッテリーターミナルに関する。
【背景技術】
【０００２】
バッテリーターミナルは、車両に備えられるバッテリーのバッテリーポストに取り付けられる部材であって、ターミナル本体と、このターミナル本体をバッテリーポストに締め付けるためのボルトおよびナットとを備えている。
【０００３】
ターミナル本体は、１枚の金属板を折り曲げることにより形成されており、２つのＣ字形の環状部と、２つの環状部におけるＣ字の両端同士を連結する２つのＵ字形のボルト保持部とを有している。バッテリーポストを環状部に挿通させた後、ボルトをボルト保持部に挿通してナットをねじ付けると、２つのボルト保持部が互いに近づき、環状部が縮径してバッテリーポストに固定される。
【先行技術文献】
【特許文献】
【０００４】
【特許文献１】特開２０１６−１６７４０７号公報
【発明の概要】
【発明が解決しようとする課題】
【０００５】
上記の構成のバッテリーターミナルでは、ナットに過剰な締付トルクが加えられた場合に、ターミナル本体が過剰に変形してしまうことが懸念される。
【課題を解決するための手段】
【０００６】
本明細書によって開示されるバッテリーターミナルは、バッテリーに備えられるバッテリーポストに取り付けられるバッテリーターミナルであって、互いに対向して配され、前記バッテリーポストを囲む弧状の第１の装着部および第２の装着部と、前記第１の装着部における弧の両端部のうち一方の端部と、前記第２の装着部における弧の両端部のうち一方の端部とを連結するとともに、ボルト収容部を有する第１締結部と、前記第１の装着部における弧の両端部のうち他方の端部と、前記第２の装着部における弧の両端部のうち他方の端部とを連結するとともに、ボルト収容部を有する第２締結部とを備えるターミナル本体と、前記第１締結部と前記第２締結部とに組み付けられて、前記第１締結部と前記第２締結部とを互いに近接する方向に押圧して前記第１の装着部および前記第２の装着部を縮径変形させる締付部材を備え、前記締付部材が、頭部と、前記頭部から延び、前記ボルト収容部に収容される柱状の柱部と、前記柱部から延び、前記柱部よりも細い円柱状であって外周面にねじ山を有する軸部とを備える締付ボルトと、前記軸部にねじ付けられるナットと、前記軸部を挿通可能であるが前記柱部を挿通不能なボルト挿通孔を有し、前記軸部を前記ボルト挿通孔に挿通させて前記柱部と前記ナットとの間に組み付けられて前記頭部との間で前記第１締結部と前記第２締結部とを挟み付ける挟付部材とを備える。
【０００７】
上記の構成によれば、締付ボルトが柱部を備え、挟付部材のボルト挿通孔が、軸部を挿通可能であるが柱部を挿通不能であることによって、挟付部材が柱部に当接すると、それ以上ナットを締付ボルトに対して締め付けることができないようになっている。このため、柱部の長さを、適切な締付量に応じて設定しておくことにより、ナットの締付量が過剰となり、ターミナル本体が過剰に変形することを回避できる。
【０００８】
上記の構成において、前記柱部が複数の側面を有する多角柱状であり、前記第１締結部および前記第２締結部が、前記柱部の前記複数の側面のうちいずれかに当接して前記柱部の回転を規制する第１の回り止め部を備えていてもよい。
このような構成によれば、締付ボルトがナットの回転につられて回転することを回避し、締付ボルトをターミナル本体に対して適切な姿勢で組み付けることができる。
【０００９】
上記の構成において、前記頭部が、複数の辺を有する多角形状の外形を有しており、前記上板装着部および前記下板装着部のうち少なくとも一方が、前記頭部の前記複数の辺のうちいずれかに当接して前記頭部の回転を規制する第２の回り止め部を備えていてもよい。
このような構成によれば、締付ボルトがナットの回転につられて回転することを回避し、締付ボルトをターミナル本体に対して適切な姿勢で組み付けることができる。
【００１０】
上記の構成において、前記挟付部材が、複数の辺を有する多角形状の外形を有しており、前記上板装着部および前記下板装着部のうち少なくとも一方が、前記挟付部材の前記複数の辺のうちいずれかに当接して前記頭部の回転を規制する第３の回り止め部を備えていてもよい。
このような構成によれば、挟付部材がナットの回転につられて回転することを回避し、挟付部材をターミナル本体に対して適切な姿勢で組み付けることができる。
【発明の効果】
【００１１】
本明細書によって開示されるバッテリーターミナルによれば、ナットの締付量を適切に管理することができる。
【図面の簡単な説明】
【００１２】
【図１】実施形態のバッテリーターミナルの斜視図
【図２】実施形態のバッテリーターミナルの平面図
【図３】図２のＡ−Ａ線断面図
【図４】図２のＢ−Ｂ線断面図
【図５】図２のＣ−Ｃ線断面図
【図６】図２のＤ−Ｄ線断面図
【図７】実施形態のバッテリーターミナルの右側面図
【図８】実施形態のバッテリーターミナルの左側面図
【図９】実施形態のバッテリーターミナルの正面図
【図１０】実施形態のバッテリーターミナルの分解斜視図
【図１１】実施形態のバッテリーターミナルの分解平面図
【図１２】実施形態のターミナル本体の右側面図
【図１３】実施形態のターミナル本体の左側面図
【図１４】実施形態のターミナル本体の平面図
【図１５】実施形態のターミナル本体の背面図
【図１６】実施形態の締付ボルトの斜視図
【発明を実施するための形態】
【００１３】
実施形態を、図１〜図１６を参照しつつ説明する。本実施形態のバッテリーターミナル１は、車両のバッテリー（図示せず）に備えられる円柱状のバッテリーポスト１００に取り付けられるものである。
【００１４】
バッテリーターミナル１は、図１に示すように、ターミナル本体１０と、端子接続ボルト９０と、締付部材８０とを備えている。
【００１５】
ターミナル本体１０は、一枚の金属板材を打ち抜き加工および曲げ加工することによって形成された部材であって、上板部２０と、下板部４０と、上板部２０と下板部４０とを連結する２つの締結部６０、７０とを備えている（図１０参照）。
【００１６】
上板部２０は、図１２に示すように、上板装着部２１と、上板装着筒部２３と、上板接続部３１とを備えている。
【００１７】
上板装着部２１は、バッテリーポスト１００を囲む弧状の部分である。具体的には、図１０および図１４に示すように、全体として、中心に孔を有する円環の１ケ所に、孔の孔縁から外周縁まで延びる切れ目を有する、Ｃ字型の板状の部分である。中心の孔は、内部にバッテリーポスト１００が挿通される上板装着孔２２である。上板装着孔２２は、バッテリーターミナル１がバッテリーポスト１００に取り付けられていない自由状態では、内径がバッテリーポスト１００の外径よりもわずかに大きくなっている。
【００１８】
上板装着筒部２３は、図４および図１０に示すように、上板装着孔２２の孔縁から立ち上がり、バッテリーポスト１００を囲むＣ字型の筒状の部分である。
【００１９】
上板接続部３１は、図１０、図１２および図１３に示すように、上板装着部２１から延びる略Ｌ字板状の部分であって、段差壁部３２と、ボルト覆い部３３と、２つの外壁部３５と、２つの固定板３６とを備えている。
【００２０】
段差壁部３２は、上板装着部２１から垂直に延びる短い板状の部位である。ボルト覆い部３３は、段差壁部３２の延出端から、上板装着部２１とは反対方向に延びる矩形板状の部位である。ボルト覆い部３３は、図４に示すように、端子接続ボルト９０の軸部９２を挿通するためのボルト挿通孔３４を有している。
【００２１】
２つの外壁部３５のそれぞれは、ボルト覆い部３３の２つの側縁（段差壁部３２と接続している端縁と垂直な２つの端縁）のそれぞれに１つずつ配置されている。２つの固定板３６のそれぞれは、ボルト覆い部３３の２つの側縁のそれぞれに１つずつ配置されている。図１２および図１３に示すように、外壁部３５が段差壁部３２に隣接して配置され、その隣に固定板３６が配置されている。
【００２２】
各外壁部３５は、ボルト覆い部３３の側縁から、ボルト覆い部３３に対して垂直に延びる壁である。各固定板３６は、図１５に示すように、ボルト覆い部３３の側縁から、ボルト覆い部３３に対して垂直に延びる固定側板３７と、固定側板３７の延出端から内側に向かって（相手側の固定側板３７に向かって）延びる固定片３８とを備えている。
【００２３】
下板部４０は、図１２に示すように、下板装着部４１と、下板装着筒部４３と、下板接続部５１とを備えている。
【００２４】
下板装着部４１は、図１０に示すように、上板装着部２１と同様のＣ字型の板状の部分であって、下板装着孔４２を有する。下板装着孔４２は、バッテリーターミナル１がバッテリーポスト１００に取り付けられていない自由状態では、内径がバッテリーポスト１００の外径よりもわずかに大きくなっている。
【００２５】
下板装着筒部４３は、図４に示すように、下板装着孔４２の孔縁から立ち上がるＣ字型の筒状の部分である。
【００２６】
下板接続部５１は、下板装着部４１から延びる板状の部分であって、傾斜部５２と、ボルト受け部５３と、２つの内壁部５４とを有している。
【００２７】
傾斜部５２は、図４に示すように、下板装着部４１から連なる板状の部位である。傾斜部５２は、下板装着部４１から離れるほど上板部２０から離れるように緩やかに傾いている。
【００２８】
ボルト受け部５３は、傾斜部５２の延出端から、下板装着部４１とは反対方向に延びる矩形板状の部分である。
【００２９】
２つの内壁部５４のそれぞれは、図１５に示すように、ボルト受け部５３の２つの側縁（傾斜部５２と接続している端縁と垂直な２つの端縁）のそれぞれに１つずつ配置されている。各内壁部５４は、ボルト受け部５３の側縁から垂直に延びる壁である。２つの内壁部５４間の距離は、上板部２０の２つの外壁部３５間の距離および２つの固定側板３７間の距離よりも小さくなっている。
【００３０】
下板接続部５１は、２つの固定受け孔５５を備えている。２つの固定受け孔５５のうち一方は、図５に示すように、ボルト受け部５３と、２つの内壁部５４のうち一方との境界部分に配置され、一方の固定片３８を受け入れる貫通孔であり、他方は、ボルト受け部５３と、２つの内壁部５４のうち他方との境界部分に配置され、他方の固定片３８を受け入れる貫通孔である。
【００３１】
上板部２０と下板部４０とは、図４および図１０に示すように、上板装着筒部２３が下板部４０とは反対方向に延び、下板装着筒部４３が上板部２０とは反対方向に延びる向きで、Ｃ字の切れ目の位置、および上板装着孔２２と下板装着孔４２の位置が合うようにして、互いに間隔を空けて対向して配置されている。また、図１５に示すように、ボルト覆い部３３とボルト受け部５３とが、外壁部３５および内壁部５４が互いに相手側に向かって延びる向きで配され、２つの内壁部５４が２つの外壁部３５に挟まれて配置されている。そして、２つの固定片３８のそれぞれが２つの固定受け孔５５の内部に収容されることで、両者が互いに固定されている。
【００３２】
ボルト覆い部３３とボルト受け部５３とによって、端子接続ボルト９０が保持される。端子接続ボルト９０は、頭部９１と軸部９２とを有する一般的な形状のボルトである。図１５に示すように、ボルト覆い部３３とボルト受け部５３との間には、内壁部５４の長さ分だけの隙間があり、この隙間に端子接続ボルト９０の頭部９１が収容されている。端子接続ボルト９０の軸部９２は、図４に示すように、ボルト挿通孔３４に挿通されて外側に向かって突出している。端子接続ボルト９０には、電線側端子を介して電線を接続することができる。
【００３３】
２つの締結部６０、７０のそれぞれは、図１０に示すように、上板装着部２１と下板装着部４１とを連結するＵ字形の板状の部分である。２つの締結部６０、７０のうち一方は、第１締結部６０であって、図１３に示すように、上板第１締結部６１（第１の回り止め部に該当）と、下板第１締結部６２（第１の回り止め部に該当）と、第１連結部６３（第１の回り止め部に該当）とを備えている。上板第１締結部６１と下板第１締結部６２とが、Ｕ字の２つの縦辺部分に相当し、第１連結部６３が、Ｕ字の横辺部分に相当する。
【００３４】
上板第１締結部６１は、図１０および図１３に示すように、上板装着部２１のＣ字の２つの端部のうち、一方の端部から外側に向かって延びる矩形の板状の部分であって、上板装着部２１と同一平面上に配置されている。下板第１締結部６２は、下板装着部４１のＣ字の２つの端部のうち、一方の端部から外側に向かって延びる矩形の板状の部分であって、下板装着部４１と同一平面上に配置されている。上板第１締結部６１と下板第１締結部６２とは、互いに向かい合って、平行に配置されている。第１連結部６３は、上板第１締結部６１の延出端（上板装着部２１とは反対側の端縁）と、下板第１締結部６２の延出端（下板装着部４１とは反対側の端縁）とを連結する、矩形の板状の部分であって、上板第１締結部６１と下板第１締結部６２の双方に対して垂直に配置されている。
【００３５】
２つの締結部６０、７０のうち他方は、第２締結部７０であって、図１２に示すように、上板第２締結部７１（第１の回り止め部に該当）と、下板第２締結部７２（第１の回り止め部に該当）と、第２連結部７３（第１の回り止め部に該当）とを備えている。上板第２締結部７１と下板第２締結部７２とが、Ｕ字の２つの縦辺部分に相当し、第２連結部７３が、Ｕ字の横辺部分に相当する。
【００３６】
上板第２締結部７１は、図１０および図１２に示すように、上板装着部２１のＣ字の２つの端部のうち、一方の端部から外側に向かって延びる矩形の板状の部分であって、上板装着部２１と同一平面上に配置されている。下板第２締結部７２は、下板装着部４１のＣ字の２つの端部のうち、一方の端部から外側に向かって延びる矩形の板状の部分であって、下板装着部４１と同一平面上に配置されている。上板第２締結部７１と下板第２締結部７２とは、互いに向かい合って、平行に配置されている。第２連結部７３は、上板第２締結部７１の延出端（上板装着部２１とは反対側の端縁）と、下板第２締結部７２の延出端（下板装着部４１とは反対側の端縁）とを連結する、矩形の板状の部分であって、上板第２締結部７１と下板第２締結部７２の双方に対して垂直に配置されている。
【００３７】
第１締結部６０と第２締結部７０とは、図１０および図１４に示すように、互いに隙間を開けて、並列して配置されている。２つの締結部６０、７０におけるＵ字の内部空間は、図１２および図１３に示すように、ボルト収容部６５、７５となっている。図１４に示すように、第１締結部６０において、第２締結部７０とは反対側の側縁は、第１規制縁６４となっており、第２締結部７０において、第１締結部６０とは反対側の側縁は、第２規制縁７４となっている。また、図１２、図１３および図１４に示すように、上板装着部２１は、第１規制縁６４に隣接し、第１規制縁６４に対して垂直な上板第１止め縁２４（第２の回り止め部に該当）、および、第２規制縁７４に隣接し、第２規制縁７４に対して垂直な上板第２止め縁２５（第３の回り止め部に該当）を有している。下板装着部４１は、第１規制縁６４に隣接し、第１規制縁６４に対して垂直な下板第１止め縁４４（第２の回り止め部に該当）、および、第２規制縁７４に隣接し、第２規制縁７４に対して垂直な下板第２止め縁４５（第３の回り止め部に該当）を有している。
【００３８】
締付部材８０は、図１に示すように、締付ボルト８１、ワッシャ８６（挟付部材に該当）、およびナット８５により構成されている。
【００３９】
締付ボルト８１は、図１６に示すように、頭部８２と、柱部８３と、軸部８４とを備えている。頭部８２は、厚みのある正方形の板状の部分である。柱部８３は、頭部８２の一面から垂直に延びる、四角柱状の部分であって、４つの側面を有している。軸部８４は、柱部８３において頭部８２とは反対側の端面から頭部８２とは反対側に延びる、柱部８３よりも細い円柱状の部分であって、外周面にねじ山を有している。
【００４０】
ナット８５は、図１０に示すように、一般的な形状の六角ナットである。ワッシャ８６は、図１０に示すように、締付ボルト８１の頭部８２とほぼ同等の外形を有する、正方形の板状の部材であって、ボルト挿通孔８７を有している。ボルト挿通孔８７は、締付ボルト８１の軸部８４を挿通可能であるが、柱部８３を挿通不能な大きさを有する貫通孔である。ワッシャ８６は、ボルト挿通孔８７に軸部８４が挿通された状態で、柱部８３とナット８５との間に組み付けられる。
【００４１】
次に、上記のように構成されたバッテリーターミナル１を、バッテリーポスト１００に取り付ける手順について説明する。
【００４２】
ターミナル本体１０の上板装着孔２２および下板装着孔４２に、バッテリーポスト１００を挿通させる。次に、ボルト収容部６５、７５の内部に、締付ボルト８１の柱部８３を挿通させる。柱部８３は、頭部８２に隣接する一部分がボルト収容孔６５の内部に収容され、軸部８４に近い一部分がボルト収容孔７５の内部に収容される。図４および図６に示すように、柱部８３の４つの側面のうち一面が、第１連結部６３と第２連結部７３とに当接し、この一面に垂直な他の２面のうち一方が、上板第１締結部６１と上板第２締結部７１とに当接し、他方が、下板第１締結部６２と下板第２締結部７２とに当接する。これにより、締付ボルト８１の回り止めが図られている。頭部８２は、図４および図６に示すように、ボルト収容部６５の内部に進入できない大きさとなっており、第１規制縁６４に当接する。また、頭部８２の外周縁を構成する４辺のうち１辺が、図３に示すように、上板第１止め縁２４と下板第１止め縁４４とに当接する。これにより、締付ボルト８１の回り止めが図られている。軸部８４は、図６に示すように、柱部８３に隣接する一部がボルト収容部７５の内部に収容され、残りの部分が、第２締結部７０から外部に突出している。
【００４３】
次に、ワッシャ８６のボルト挿通孔８７に軸部８４を挿通する。ワッシャ８６は、ボルト収容部７５の内部に進入できない大きさとなっており、図６に示すように、第２規制縁７４に当接する。また、ワッシャ８６の外周縁を構成する４辺のうち１辺が、図５に示すように、上板第２止め縁２５と下板第２止め縁４５とに当接する。これにより、ワッシャ８６の回り止めが図られている。
【００４４】
次いで、ナット８５を軸部８４にねじ付ける。ナット８５を回転させながら締め込んでいくと、ナット８５に押圧されてワッシャ８６が頭部８２に近づいていく。すると、ワッシャ８６が、頭部８２との間で第１締結部６０と第２締結部７０とを互いに近接させるように押圧する。これに伴って、上板装着部２１と下板装着部４１とが縮径して、上板装着筒部２３と下板装着筒部４３の内周面が、バッテリーポスト１００に密着する。このようにして、バッテリーターミナル１が、バッテリーポスト１００に取り付けられ、バッテリーポスト１００とバッテリーターミナル１との導通が図られる。
【００４５】
このとき、締付ボルト８１が柱部８３を備え、ワッシャ８６のボルト挿通孔８７が、軸部８４を挿通可能であるが柱部８３を挿通不能であることによって、ワッシャ８６が柱部８３に当接すると、それ以上ナット８５を締付ボルト８１に対して締め付けることができないようになっている。このため、柱部８３の長さを、適切な締付量に応じて設定しておくことにより、ナット８５の締付量が過剰となることを回避でき、ターミナル本体１０が過剰に変形することを回避できる。
【００４６】
また、柱部８３の４つの側面のうち一面が、第１連結部６３と第２連結部７３とに当接し、この一面に垂直な他の２面のうち一方が、上板第１締結部６１と上板第２締結部７１とに当接し、他方が、下板第１締結部６２と下板第２締結部７２とに当接する。さらに、頭部８２の４辺のうち１辺が、上板第１止め縁２４と下板第１止め縁４４とに当接する。これらより、締付ボルト８１がナット８５の回転につられて回転することを回避し、締付ボルト８１をターミナル本体１０に対して適切な姿勢で組み付けることができる。
【００４７】
さらに、ワッシャ８６の４辺のうち１辺が、上板第２止め縁２５と下板第２止め縁４５とに当接する。これにより、ワッシャ８６がナット８５の回転につられて回転することを回避し、ワッシャ８６をターミナル本体１０に対して適切な姿勢で組み付けることができる。
【００４８】
以上のように本実施形態によれば、バッテリーターミナル１は、バッテリーに備えられるバッテリーポスト１００に取り付けられる部材であって、上板装着部２１と、下板装着部４１と、第１締結部６０と、第２締結部７０とを備えるターミナル本体１０と、このターミナル本体１０に組み付けられる締付部材８０とを備える。上板装着部２１および下板装着部４１は、互いに対向して配され、バッテリーポスト１００を囲むＣ字形の部分である。第１締結部６０は、上板装着部２１におけるＣ字の両端部のうち一方の端部と、下板装着部４１におけるＣ字の両端部のうち一方の端部とを連結するとともに、ボルト収容部６５を有する。第２締結部７０は、上板装着部２１におけるＣ字の両端部のうち他方の端部と、下板装着部４１におけるＣ字の両端部のうち他方の端部とを連結するとともに、ボルト収容部７５を有する。締結部材８０は、第１締結部６０と第２締結部７０とに組み付けられて、第１締結部６０と第２締結部７０とを互いに近接する方向に押圧して上板装着部２１および下板装着部４１を縮径変形させる部材であって、締付ボルト８１と、ナット８５と、ワッシャ８６とを備える。締結ボルト８１は、頭部８２と、頭部８２から延び、ボルト収容部６５、７５に収容される柱状の柱部８３と、柱部８３から延び、柱部８３よりも細い円柱状であって外周面にねじ山を有する軸部８４とを備える。ナット８５は、軸部８４にねじ付けられる部材である。ワッシャ８６は、軸部８４を挿通可能であるが柱部８３を挿通不能なボルト挿通孔８７を有し、軸部８４をボルト挿通孔８７に挿通させて柱部８３とナット８５との間に組み付けられ、頭部８２との間で第１締結部６０と第２締結部７０とを挟み付ける部材である。
【００４９】
上記の構成によれば、締付ボルト８１が柱部８３を備え、ワッシャ８６のボルト挿通孔８７が、軸部８４を挿通可能であるが柱部８３を挿通不能であることによって、ワッシャ８６が柱部８３に当接すると、それ以上ナット８５を締付ボルト８１に対して締め付けることができないようになっている。このため、柱部８３の長さを、適切な締付量に応じて設定しておくことにより、ナット８５の締付量を適切に管理することができ、ターミナル本体１０の過剰な変形を回避できる。
【００５０】
また、柱部８３が、複数の側面を有する多角柱状であり、第１締結部６０が、第１連結部６３、上板第１締結部６１および下板第１締結部６２を備え、第２締結部７０が、第２連結部７３、上板第２締結部７１および下板第２締結部７２を備えている。そして、柱部８３の４つの側面のうち一面が、第１連結部６３と第２連結部７３とに当接し、他の一面が上板第１締結部６１と上板第２締結部７１とに当接し、さらに他の一面が下板第１締結部６２と下板第２締結部７２とに当接している。これにより、締付ボルト８１がナット８５の回転につられて回転することを回避し、締付ボルト８１をターミナル本体１０に対して適切な姿勢で組み付けることができる。
【００５１】
さらに、締付ボルト８１の頭部８２が、複数の辺を有する正方形状の外形を有しており、上板装着部２１が、頭部８２の４辺のうち１辺に当接して頭部８２の回転を規制する上板第１止め縁２４を備えている。また、下板装着部４１が、頭部８２の４辺のうち１辺に当接して頭部８２の回転を規制する下板第１止め縁４４を備えている。
【００５２】
このような構成によっても、締付ボルト８１がナット８５の回転につられて回転することを回避し、締付ボルト８１をターミナル本体１０に対して適切な姿勢で組み付けることができる。
【００５３】
加えて、ワッシャ８６が、複数の辺を有する正方形状の外形を有しており、上板装着部２１が、ワッシャ８６の４辺のうち１辺に当接して頭部８２の回転を規制する上板第２止め縁２５を備えている。また、下板装着部４１が、ワッシャ８６の４辺のうち１辺に当接して頭部８２の回転を規制する下板第２止め縁４５を備えている。
【００５４】
このような構成によれば、ワッシャ８６がナット８５の回転につられて回転することを回避し、ワッシャ８６をターミナル本体１０に対して適切な姿勢で組み付けることができる。
【００５５】
＜他の実施形態＞
本明細書によって開示される技術は上記記述及び図面によって説明した実施形態に限定されるものではなく、例えば次のような種々の態様も含まれる。
（１）上記実施形態によれば、締付ボルト８１の柱部８３は、四角柱状であったが、柱部８３の形状は複数の側面を有する多角柱状であればよく、例えば、六角柱状であっても構わない。
（２）上記実施形態では、締付ボルト８１の頭部８２、およびワッシャ８６は、正方形状であったが、頭部８２、およびワッシャ８６は、複数の辺を有する多角形状の外形を有していればよく、例えば、六角形状であっても構わない。
【符号の説明】
【００５６】
１…バッテリーターミナル
１０…ターミナル本体
２１…上板装着部
２４…上板第１止め縁（第２の回り止め部）
２５…上板第２止め縁（第３の回り止め部）
４１…下板装着部
４４…下板第１止め縁（第２の回り止め部）
４５…下板第２止め縁（第３の回り止め部）
６０…第１締結部
６１…上板第１締結部（第１の回り止め部）
６２…下板第１締結部（第１の回り止め部）
６３…第１連結部（第１の回り止め部）
６５、７５…ボルト収容部
７０…第２締結部
７１…上板第２締結部（第１の回り止め部）
７２…下板第２締結部（第１の回り止め部）
７３…第２連結部（第１の回り止め部）
８０…締付部材
８１…締付ボルト
８２…頭部
８３…柱部
８４…軸部
８５…ナット
８６…ワッシャ（挟付部材）
８７…ボルト挿通孔
１００…バッテリーポスト
【図１】
2018198156.tif 000003
【図２】
2018198156.tif 000004
【図３】
2018198156.tif 000005
【図４】
2018198156.tif 000006
【図５】
2018198156.tif 000007
【図６】
2018198156.tif 000008
【図７】
2018198156.tif 000009
【図８】
2018198156.tif 000010
【図９】
2018198156.tif 000011
【図１０】
2018198156.tif 000012
【図１１】
2018198156.tif 000013
【図１２】
2018198156.tif 000014
【図１３】
2018198156.tif 000015
【図１４】
2018198156.tif 000016
【図１５】
2018198156.tif 000017
【図１６】
2018198156.tif 000018